(57)【特許請求の範囲】
【請求項１】
販売する商品の個別情報データと提供する役務の個別情報データとの少なくとも一方を記憶可能、かつ、記憶した前記個別情報データをインターネットにおけるネットワーク上に送信可能な少なくとも１つのサーバ装置を備え、前記インターネットを介して前記サーバ装置にアクセス可能な多数の端末装置が、印字手段を介して前記サーバ装置から受信した前記個別情報データを出力する情報データ出力システムにおいて、
前記端末装置各々には、ＨＴＴＰ（ＨｙｐｅｒＴｅｘｔ
Ｔｒａｎｓｆｅｒ Ｐｒｏｔｏｃｏｌ）の記述言語に対するそれら端末装置の互換性の相違（ＨＴＴＰに対する前記端末装置の機種や該端末装置のオペレーティングシステム、前記端末装置にインストールされているアプリケーションソフトウェア、前記端末装置で使用するフォント環境の相違）にかかわらず、それら端末装置が前記情報データを統一された一定の規則性に基づいて規則正しく最適なレイアウトで出力することを可能にする共用アプリケーションソフトウェアがインストールされ、
前記共用アプリケーションソフトウェアが、前記情報データを印字する印刷用紙における該情報データの文字数および行数、前記印刷用紙に印字する前記情報データの個数、前記印刷用紙に印字する前記情報データの文字サイズおよび文字フォントを統一された一定の規則性に基づいて規則正しく最適なレイアウトで出力する状態に自動的に設定する機能を有し、
前記サーバ装置が、前記共用アプリケーションソフトウェアを前記インターネットにおけるネットワーク上に送信する共用アプリケーションソフトウェア送信手段と、前記情報データを前記共用アプリケーションソフトウェアが電子的に処理可能な中間データに変換するデータ変換手段と、前記中間データを前記インターネットを介して前記端末装置に送信するデータ送信手段とを有し、それら端末装置が、前記インターネットを介して前記共用アプリケーションソフトウェアを受信かつインストール可能であり、前記サーバ装置から前記中間データを受信すると、前記共用アプリケーションソフトウェアを利用して前記中間データに変換された前記情報データを前記印字手段を介して出力することを特徴とする情報データ出力システム。
【請求項２】
前記商品の個別情報データが、前記商品の種類、商品名、販売価格、前記商品を製造した製造者名、前記商品を販売する販売者名、前記商品のキャッチフレーズ、前記商品の性能、前記商品の形態、のうちの少なくとも前記種類と前記商品名と前記販売価格とである請求項１記載の情報データ出力システム。
【請求項３】
前記サーバ装置は、前記商品の種類に基づいて、前記商品の個別情報データを所定の種類別商品群に類別する第１データ補正手段と、前記端末装置からの要求に基づいて、前記第１データ補正手段により類別された前記種類別商品群の中から、前記端末装置が指定する指定種類別商品群毎の個別情報データを抽出する第１データ抽出手段とを有し、前記第１データ抽出手段により抽出された前記指定種類別商品群毎の個別情報データについて前記データ変換手段と前記データ送信手段とを実行する請求項２記載の情報データ出力システム。
【請求項４】
前記サーバ装置は、前記商品の製造者名に基づいて、前記商品の個別情報データを製造者別商品群に類別する第２データ補正手段と、前記端末装置からの要求に基づいて、前記第２データ補正手段により区分された前記製造者別商品群の中から、前記端末装置が指定する指定製造者別商品群毎の個別情報データを抽出する第２データ抽出手段とを有し、前記第２データ抽出手段により抽出された前記指定製造者別商品群毎の個別情報データについて前記データ変換手段と前記データ送信手段とを実行する請求項２または請求項３に記載の情報データ出力システム。
【請求項５】
前記サーバ装置は、前記商品の販売者名に基づいて、前記商品の個別情報データを販売者別商品群に類別する第３データ補正手段と、前記端末装置からの要求に基づいて、前記第３データ補正手段により区分された前記販売者別商品群の中から、前記端末装置が指定する指定販売者別商品群毎の個別情報データを抽出する第３データ抽出手段とを有し、前記第３データ抽出手段により抽出された前記指定販売者別商品群毎の個別情報データについて前記データ変換手段と前記データ送信手段とを実行する請求項２ないし請求項４いずれかに記載の情報データ出力システム。
【請求項６】
前記役務の個別情報データが、前記役務の種類、役務名、提供価格、前記役務を企画した企画者名、前記役務を提供する提供者名、前記役務のキャッチフレーズ、前記役務の内容、のうちの少なくとも前記種類と前記役務名と前記提供価格とである請求項１記載の情報データ出力システム。
【請求項７】
前記サーバ装置は、前記役務の種類に基づいて、前記役務の個別情報データを所定の種類別役務群に類別する第４補正手段と、前記端末装置からの要求に基づいて、前記第４データ補正手段により類別された前記種類別役務群の中から、前記端末装置が指定する指定種類別役務群毎の個別情報データを抽出する第４データ抽出手段とを有し、前記第４データ抽出手段により抽出された前記指定種類別役務群毎の個別情報データについて前記データ変換手段と前記データ送信手段とを実行する請求項６記載の情報データ出力システム。
【請求項８】
前記サーバ装置は、前記役務の企画者名に基づいて、前記役務の個別情報データを企画者別役務群に類別する第５データ補正手段と、前記端末装置からの要求に基づいて、前記第５データ補正手段により区分された前記企画者別役務群の中から、前記端末装置が指定する指定企画者別役務群毎の個別情報データを抽出する第５データ抽出手段とを有し、前記第５データ抽出手段により抽出された前記指定企画者別役務群毎の個別情報データについて前記データ変換手段と前記データ送信手段とを実行する請求項６または請求項７に記載の情報データ出力システム。
【請求項９】
前記サーバ装置は、前記役務の提供者名に基づいて、前記役務の個別情報データを提供者別役務群に類別する第６データ補正手段と、前記端末装置からの要求に基づいて、前記第６データ補正手段により区分された前記提供者別役務群の中から、前記端末装置が指定する指定提供者別役務群毎の個別情報データを抽出する第６データ抽出手段とを有し、前記第６データ抽出手段により抽出された前記指定提供者別役務群毎の個別情報データについて前記データ変換手段と前記データ送信手段とを実行する請求項６ないし請求項８いずれかに記載の情報データ出力システム。
【請求項１０】
前記商品の個別情報データが、前記印字手段を介して前記商品の販売に供する紙票に出力され、前記役務の個別情報データが、前記印字手段を介して前記役務の提供に供する紙票に出力される請求項２ないし請求項９いずれかに記載の情報データ出力システム。
【発明の詳細な説明】
【０００１】
【発明の属する技術分野】
本発明は、インターネットを介して受信した商品および役務の個別情報データを統一された所定の形式で出力する情報データ出力システムに関する。
【０００２】
【従来の技術】
サーバ装置の内部アドレスファイルに記憶された商品の個別情報データと役務の個別情報データとがインターネットにおけるネットワーク上に送信され、それらデータを受信した端末装置がそれらデータをプリンタを介して出力する場合がある。個別情報データの出力を商品の販売に供する紙票を例として説明すると、以下のとおりである。
【０００３】
商品には、その商品の商品名や販売価格、商品を製造した製造者名、商品を販売する販売者名、商品のキャッチフレーズ、商品の性能、商品の形態等の個別情報データを記載したプライスカードや仕様書、概略説明書等の紙票が添付される。
【０００４】
それら個別情報データは、キーボードやスキャナ、デジタルカメラ等の入力手段を介して製造者が保有するサーバ装置に入力されるとともに、サーバ装置の内部アドレスファイルに記憶される。個別情報データは、サーバ装置からインターネットを介して商品を販売する販売店に設置された端末装置に送信される。販売店では、送信された個別情報データを端末装置に接続されたプリンタを介して印刷用紙に印字し、それを紙票として使用する。
【０００５】
【発明が解決しようとする課題】
しかし、前記個別情報データの出力では、ＨＴＴＰ（ＨｙｐｅｒＴｅｘｔＴｒａｎｓｆｅｒ Ｐｒｏｔｏｃｏｌ）の記述言語と個別情報データを受信した端末装置との間に互換性の相違（ＨＴＴＰに対する端末装置の機種やオペレーティングシステム、アプリケーションソフトウェア、フォント環境等の相違）があると、個別情報データが不規則に散在してディスプレイに表示されたり、文字が入り乱れた乱雑な状態で印刷用紙に印字されてしまう場合がある。販売店では、それを修正するために、個別情報データについて文字の置き換えや書式の設定、印字様式の設定、印字位置の指定等のデータ処理をしなければならず、手間と時間とを要する。
【０００６】
また、前記互換性の相違があると、端末装置が個別情報データ自体を読み込むことができない場合がある。この場合は、各販売店が個別情報データを製造者から郵送やファクシミリ等で取り寄せなければならない。
【０００７】
本発明の目的は、前記ＨＴＴＰの記述言語に対する前記端末装置の互換性の相違にかかわらず、サーバ装置から送信された個別情報データを統一された所定の形式で端末装置が出力することができ、個別情報データに対するデータ処理や個別情報データを郵送等で取り寄せるための手間や時間を省くことができる情報データ出力システムを提供することにある。
【０００８】
【課題を解決するための手段】
前述した課題を解決するために、本発明が前提とするところは、販売する商品の個別情報データと提供する役務の個別情報データとの少なくとも一方を記憶可能、かつ、記憶した前記個別情報データをインターネットにおけるネットワーク上に送信可能な少なくとも１つのサーバ装置を備え、前記インターネットを介して前記サーバ装置にアクセス可能な多数の端末装置が、印字手段を介して前記サーバ装置から受信した前記個別情報データを出力する情報データ出力システムである。
【０００９】
かかる前提において、本発明が特徴とするところは、前記端末装置各々には、ＨＴＴＰ（ＨｙｐｅｒＴｅｘｔ Ｔｒａｎｓｆｅｒ Ｐｒｏｔｏｃｏｌ）の記述言語に対するそれら端末装置の互換性の相違（ＨＴＴＰに対する前記端末装置の機種や該端末装置のオペレーティングシステム、前記端末装置にインストールされているアプリケーションソフトウェア、前記端末装置で使用するフォント環境の相違）にかかわらず、それら端末装置が前記情報データを統一された一定の規則性に基づいて規則正しく最適なレイアウトで出力することを可能にする共用アプリケーションソフトウェアがインストールされ、前記共用アプリケーションソフトウェアが、前記情報データを印字する印刷用紙における該情報データの文字数および行数、前記印刷用紙に印字する前記情報データの個数、前記印刷用紙に印字する前記情報データの文字サイズおよび文字フォントを統一された一定の規則性に基づいて規則正しく最適なレイアウトで出力する状態に自動的に設定する機能を有し、前記サーバ装置が、前記共用アプリケーションソフトウェアを前記インターネットにおけるネットワーク上に送信する共用アプリケーションソフトウェア送信手段と、前記情報データを前記共用アプリケーションソフトウェアが電子的に処理可能な中間データに変換するデータ変換手段と、前記中間データを前記インターネットを介して前記端末装置に送信するデータ送信手段とを有し、それら端末装置が、前記インターネットを介して前記共用アプリケーションソフトウェアを受信かつインストール可能であり、前記サーバ装置から前記中間データを受信すると、前記共用アプリケーションソフトウェアを利用して前記中間データに変換された前記情報データを前記印字手段を介して出力することにある。
【００１０】
本発明は、以下の実施態様を有する。
（１）前記商品の個別情報データが、前記商品の種類、商品名、販売価格、前記商品を製造した製造者名、前記商品を販売する販売者名、前記商品のキャッチフレーズ、前記商品の性能、前記商品の形態、のうちの少なくとも前記種類と前記商品名と前記販売価格とである。
（２）前記サーバ装置は、前記商品の種類に基づいて、前記商品の個別情報データを所定の種類別商品群に類別する第１データ補正手段と、前記端末装置からの要求に基づいて、前記第１データ補正手段により類別された前記種類別商品群の中から、前記端末装置が指定する指定種類別商品群毎の個別情報データを抽出する第１データ抽出手段とを有し、前記第１データ抽出手段により抽出された前記指定種類別商品群毎の個別情報データについて前記データ変換手段と前記データ送信手段とを実行する。
（３）前記サーバ装置は、前記商品の製造者名に基づいて、前記商品の個別情報データを製造者別商品群に類別する第２データ補正手段と、前記端末装置からの要求に基づいて、前記第２データ補正手段により区分された前記製造者別商品群の中から、前記端末装置が指定する指定製造者別商品群毎の個別情報データを抽出する第２データ抽出手段とを有し、前記第２データ抽出手段により抽出された前記指定製造者別商品群毎の個別情報データについて前記データ変換手段と前記データ送信手段とを実行する。
（４）前記サーバ装置は、前記商品の販売者名に基づいて、前記商品の個別情報データを販売者別商品群に類別する第３データ補正手段と、前記端末装置からの要求に基づいて、前記第３データ補正手段により区分された前記販売者別商品群の中から、前記端末装置が指定する指定販売者別商品群毎の個別情報データを抽出する第３データ抽出手段とを有し、前記第３データ抽出手段により抽出された前記指定販売者別商品群毎の個別情報データについて前記データ変換手段と前記データ送信手段とを実行する。
（５）前記役務の個別情報データが、前記役務の種類、役務名、提供価格、前記役務を企画した企画者名、前記役務を提供する提供者名、前記役務のキャッチフレーズ、前記役務の内容、のうちの少なくとも前記種類と前記役務名と前記提供価格とである。
（６）前記サーバ装置は、前記役務の種類に基づいて、前記役務の個別情報データを所定の種類別役務群に類別する第４補正手段と、前記端末装置からの要求に基づいて、前記第４データ補正手段により類別された前記種類別役務群の中から、前記端末装置が指定する指定種類別役務群毎の個別情報データを抽出する第４データ抽出手段とを有し、前記第４データ抽出手段により抽出された前記指定種類別役務群毎の個別情報データについて前記データ変換手段と前記データ送信手段とを実行する。
（７）前記サーバ装置は、前記役務の企画者名に基づいて、前記役務の個別情報データを企画者別役務群に類別する第５データ補正手段と、前記端末装置からの要求に基づいて、前記第５データ補正手段により区分された前記企画者別役務群の中から、前記端末装置が指定する指定企画者別役務群毎の個別情報データを抽出する第５データ抽出手段とを有し、前記第５データ抽出手段により抽出された前記指定企画者別役務群毎の個別情報データについて前記データ変換手段と前記データ送信手段とを実行する。
（８）前記サーバ装置は、前記役務の提供者名に基づいて、前記役務の個別情報データを提供者別役務群に類別する第６データ補正手段と、前記端末装置からの要求に基づいて、前記第６データ補正手段により区分された前記提供者別役務群の中から、前記端末装置が指定する指定提供者別役務群毎の個別情報データを抽出する第６データ抽出手段とを有し、前記第６データ抽出手段により抽出された前記指定提供者別役務群毎の個別情報データについて前記データ変換手段と前記データ送信手段とを実行する。
（９）前記商品の個別情報データが、前記印字手段を介して前記商品の販売に供する紙票に出力され、前記役務の個別情報データが、前記印字手段を介して前記役務の提供に供する紙票に出力される。
【００１１】
【発明の実施の形態】
添付の図面を参照し、本発明に係る情報データ出力システムの詳細を説明すると、以下のとおりである。
【００１２】
図１，２は、一例として示す情報データ出力システムの構成図と、システムが実行する各手段の一例を示すブロック図とである。このシステムでは、スポーツ用品の販売に供する紙票の出力を行う。このシステムは、第１サーバ装置１およびそれに接続された端末装置２と、第２サーバ装置５およびそれに接続された端末装置６とから構成されている。第１サーバ装置１と端末装置２とは、スポーツ用品を製造する多数のメーカー（製造者）に設置されている。第２サーバ装置５と端末装置６とは、メーカーからスポーツ用品を仕入れてそれを販売する多数の販売店（販売者）に設置されている。第１サーバ装置１と第２サーバ装置５とは、インターネット１０を介して電子メールを送受信可能である。
【００１３】
第１サーバ装置１は、中央処理部（図示せず）と、メモリ部（図示せず）とを有するパーソナルコンピュータである。メモリ部は、このシステムにおけるプログラムが記憶された命令ファイルと、データを記憶する内部アドレスファイルとを有する。
【００１４】
中央処理部は、オペレーティングシステムによる制御に基づいて、メモリ部に記憶されているプログラムを起動し、プログラムに従って後記する各手段を実行する。中央処理部は、実行される各手段に対応するプログラムをメモリ部から随時取り込んで解読し、必要な指令を出力する。
【００１５】
中央処理部は、受信または入力されたデータを取り込み、データ毎にアドレス付けを行って内部アドレスファイルに割り振られた各領域に格納する。データには、スポーツ用品に関する個別情報データの他に、このシステムの運用に必要なすべての情報データが含まれる。第１サーバ装置１と端末装置２とは、ネットワークインターフェイス（図示せず）を介して接続されている。
【００１６】
端末装置２は、中央処理部（図示せず）と、メモリ部（図示せず）とを有するパーソナルコンピュータである。端末装置２には、ディスプレイ３とキーボード４とが入出力インターフェイス（図示せず）を介して接続されている。
【００１７】
第２サーバ装置５と端末装置６とは、中央処理部（図示せず）と、メモリ部（図示せず）とを有するパーソナルコンピュータである。第２サーバ装置５と端末装置６とは、ネットワークインターフェイス（図示せず）を介して接続されている。端末装置６には、ディスプレイ７とキーボード８とプリンタ９とが入出力インターフェイス（図示せず）を介して接続されている。端末装置６には、メール・クライアントがインストールされている。
【００１８】
第１および第２サーバ装置１，５は、インターネット１０におけるネットワーク上に存在する他の多数のサーバ装置（図示せず）に対して電子メールを送信可能、かつ、それらサーバ装置から電子メールを受信可能である。
【００１９】
第１および第２サーバ装置１，５には、電子メールを送受信するためのソフトウェアがインストールされている。ソフトウェアのうち、電子メール送信用としては、ＳＭＴＰ（ＳｉｍｐｌｅＭａｉｌ Ｔｒａｎｓｆｅｒ Ｐｒｏｔｏｃｏｌ）を例示することができ、電子メール受信用としては、ＰＯＰ３（Ｐｏｓｔ Ｏｆｆｉｃｅ Ｐｒｏｔｏｃｏｌ Ｖｅｒｓｉｏｎ３）を例示することができる。
【００２０】
第２サーバ装置５は、第１サーバ装置１から送信されたスポーツ用品の個別情報データを受信し、それを端末装置６に配信する。また、第２サーバ装置５は、端末装置６からの指示を第１サーバ装置１へ送信する。
【００２１】
スポーツ用品に関する個別情報データには、用品の種類、用品の商品名、販売価格、用品を製造したメーカー名（製造者名）、用品を販売する販売店名（販売者名）、用品のキャッチフレーズ、用品の性能、用品の形態がある。
【００２２】
用品の種類には、ゴルフ、サッカー、スキー、テニス、バスケットボール、バドミントン、バレーボール、野球等の種目類の他に、ゴルフクラブ、サッカーボール、スキー板、テニスラケット、バドミントンラケット、野球用グラブ等の競技用具類が含まれる。さらに、用品の種類には、スポーツウェア、ソックス、シューズ等の服飾類、テニス用ネット、サッカーゴール、バレー用ポール等の施設用器具類が含まれる。
【００２３】
商品名は、個々の用品を特定するために付けられた固有名詞のみならず、用品の普通名称も含まれる。販売価格には、用品の実勢価格のみならず、メーカー希望小売価格やオープン価格も含まれる。メーカー名や販売店名には、メーカーや販売店の商号のみならず、それらを表す略称やマークも含まれる。
【００２４】
性能は、用品の特性や用品を試用したときの試験結果、用品の素材、用品のサイズ等を文字や数値、比較表、グラフ等で表したものである。形態は、用品の全体図や部分図、部分破断図、用品の写真、用品のイラスト等である。
【００２５】
用品に関する個別情報データは、メーカーがキーボード４から端末装置２へ入力する。個別情報データは、端末装置２に接続可能なスキャナやデジタルカメラから取り込むこともできる。
【００２６】
端末装置２に接続されたディスプレイ３には、図示はしていないが、スポーツの種目別アイコンが表示されるとともに、スポーツ種目の入力エリアが表示される。メーカーの操作者は、種目別アイコンをクリックするか、または、入力エリアに種目を入力して改行する。
【００２７】
それら操作が行われた後、ディスプレイには、選択された種目に関連するスポーツ用品の種類別アイコンが表示されるとともに、種類の入力エリアが表示される。操作者は、種類別アイコンをクリックするか、または、入力エリアに用品を入力して改行する。
【００２８】
次に、ディスプレイ３には、用品の商品名、販売価格、メーカー名、販売店名、キャッチフレーズ、性能、形態からなる個別情報データの入力エリアが表示される。操作者は、キーボード４を使用して入力エリアにそれら個別情報データを入力し、データ蓄積タブをクリックする。
【００２９】
入力された個別情報データは、図２に示すように、端末装置２から第１サーバ装置１へ送られ、第１サーバ装置１の内部アドレスファイルに記憶される（Ｓ−１）。
【００３０】
販売店の操作者は、第１サーバ装置１のアドレスにアクセスし、第１サーバ装置１に記憶された個別情報データを検索する（Ｓ−２）。なお、端末装置６には、共用アプリケーションソフトウェアがインストールされている。
【００３１】
共用アプリケーションソフトウェアは、ＨＴＴＰ（ＨｙｐｅｒＴｅｘｔＴｒａｎｓｆｅｒ Ｐｒｏｔｏｃｏｌ）の記述言語と端末装置６との間に互換性の相違（ＨＴＴＰに対する端末装置６の機種やオペレーティングシステム、アプリケーションソフトウェア、フォント環境等の相違）があったとしても、統一した所定の形式で個別情報データをディスプレイ７に表示させ、かつ、統一した所定の形式で個別情報データをプリンタ９に印字させるソフトウェアである。
【００３２】
ここで、所定の形式とは、一定の規則性に基づいて整理された個別情報データが、規則正しくディスプレイ７に表示またはプリンタ９から印字されるその状態をいう。
【００３３】
共用アプリケーションソフトウェアは、印刷用紙における文字数および行数、印刷用紙に印字する個別情報データのデータ数、文字サイズおよび文字フォント、印刷用紙の上下端縁および両側縁のマージン等を自動的に設定する機能を有し、個別情報データをディスプレイ７または印刷用紙に無駄なく最適なレイアウトで表示または印字する機能を有する。
【００３４】
その具体例としては、たとえば、端末装置６においてＢ５縦の印刷用紙を選択すると、１行文字数を８０字、１頁行数を３０行に設定するとともに、用紙の上下端縁と両側縁とのマージンをそれぞれ１０ｍｍに設定し、個別情報データの全てが印刷用紙に納まるようにデータを配列する。
【００３５】
操作者は、個別情報データの全部、または、個別情報データの中から必要とするデータを指定し、それらデータの送信指示をキーボード８から端末装置６へ入力する（Ｓ−３）。送信指示は、端末装置６から第２サーバ装置５に送られ、さらに、インターネット１０を介して第２サーバ装置５から第１サーバ装置１に送信される。
【００３６】
第１サーバ装置１では、端末装置６からの指示に基づいて、個別情報データを共用アプリケーションソフトウェアが電子的に処理可能な中間データに変換する（データ変換手段）（Ｓ−４）。第１サーバ装置１は、インターネット１０を介して中間データを第２サーバ装置５に送信する（データ送信手段）（Ｓ−５）。
【００３７】
中間データは、第２サーバ装置５から端末装置６に配信される。中間データを受信した端末装置６は、共用アプリケーションソフトウェアを利用して中間データに変換された個別情報データを読み込み（Ｓ−６）、ディスプレイ７を介してそれら個別情報データを表示させる。それら個別情報データは、プリンタ９を介して印刷用紙に印字される（Ｓ−７）。
【００３８】
第１サーバ装置１は、以下のデータ補正手段とデータ抽出手段とを有し、それら手段によって個別情報データを類別かつ抽出する。
【００３９】
第１サーバ装置１は、前記種類に基づいて、用品の個別情報データを種類別商品群に類別することができる（第１データ補正手段）。第１サーバ装置１は、端末装置６からの要求に基づいて、第１データ補正手段により類別された種類別商品群の中から、端末装置６が指定する指定種類別商品群毎の個別情報データを抽出することができる（第１データ抽出手段）。
【００４０】
第１サーバ装置１は、メーカー名（製造者名）に基づいて、用品の個別情報データを製造者別商品群に類別することができる（第２データ補正手段）。第１サーバ装置１は、端末装置６からの要求に基づいて、第２データ補正手段により類別された製造者別商品群の中から、端末装置６が指定する指定製造者別商品群毎の個別情報データを抽出することができる（第２データ抽出手段）。
【００４１】
第１サーバ装置１は、販売店名（販売者名）に基づいて、用品の個別情報データを販売者別商品群に類別することができる（第３データ補正手段）。第１サーバ装置１は、端末装置６からの要求に基づいて、第３データ補正手段により類別された販売者別商品群の中から、端末装置６が指定する指定販売者別商品群毎の個別情報データを抽出することができる（第３データ抽出手段）。
【００４２】
第１サーバ装置１は、それら補正手段の他に、用品の個別情報データを五十音順とアルファベット順とのうちのいずれかに並べ替えることができる。また、第１サーバ装置１は、端末装置６からの要求に基づいて、個別情報データの中から、端末装置６が指定する個別情報データのみを抽出することができる。さらに、第１サーバ装置１は、個別情報データを端末装置６が指定する順序に並べ替えることができる。
【００４３】
第１サーバ装置１では、それら補正手段を後記する個別情報データ検索時に実行し、それら抽出手段を端末装置６から個別情報データの送信指示が行われた後に実行する。第１サーバ装置１では、それら補正手段を個別情報データを記憶する毎に実行することもできる。
【００４４】
図３，４は、図２のブロック図の詳細を示すフローチャート図である。販売店の操作者は、インターネット１０におけるＷＷＷブラウザから第１サーバ装置１のアドレスにアクセスする（Ｓ−１１）。操作者は、第１サーバ装置１と端末装置６とがインターネット１０を介して接続された後に、端末装置６において個別情報データを検索することが可能となる。
【００４５】
端末装置６では、個別情報データの検索時に、共用アプリケーションソフトウェアがそれにインストールされているか否かを判断する（Ｓ−１２）。共用アプリケーションソフトウェアがインストールされていない場合、端末装置６は、ソフトウェアのインストール指示をディスプレイ７に表示させる。操作者は、端末装置６の指示にしたがって共用アプリケーションソフトウェアのインストールを行う（Ｓ−１３）。
【００４６】
このシステムでは、共用アプリケーションソフトウェアが第１サーバ装置１からインターネット１０におけるネットワーク上に送信されている。操作者は、共用アプリケーションソフトウェアを第２サーバ装置５を介して端末装置６にダウンロードし、セットアッププログラムを使用してそれをインストールする。また、共用アプリケーションソフトウェアを記憶したＣＤ−ＲＯＭを使用してそれをインストールすることもできる。
【００４７】
共用アプリケーションソフトウェアがインストールされた後、ディスプレイ７には、図示はしていないが、スポーツ用品の個別情報データに対する検索画面が表示される（Ｓ−１４）。
【００４８】
販売店の操作者は、（１）種類別商品群に基づく個別情報データの検索、（２）製造者別商品群に基づく個別情報データの検索、（３）販売者別商品群に基づく個別情報データの検索、のいずれかを行うことができる。ディスプレイ７には、前記（１）〜（３）の検索情報アイコンが表示され、それら検索情報アイコンのいずれかをクリックすることによって、検索情報を選択することができる。
【００４９】
第１サーバ装置１では、操作者が個別情報データを検索中に、第１〜第３補正手段によって個別情報データを種類別商品群、製造者別商品群、販売者別商品群、のいずれかに類別する。検索が終了すると、その結果がディスプレイ７に表示される。なお、ディスプレイ７には、スポーツ種目やメーカー、販売店、各スポーツ用品等が五十音順に表示される。操作者が行う検索の手順を以下に説明する。
【００５０】
前記（１）の検索情報アイコンをクリックすると、種類別商品群に基づく個別情報データの検索が可能となる（Ｓ−１５）。第１サーバ装置１は、個別情報データをスポーツの各種目（種類別商品群）に類別する（第１データ補正手段）（Ｓ−１６）。ディスプレイ７には、ゴルフ、サッカー、スキー、テニス、バスケットボール、バドミントン、バレーボール、野球等の種目別アイコンが表示されるとともに、種目の入力エリアが表示される。さらに、ディスプレイ７には、種目の個別情報データの受信タブと検索クリアタブとが表示される（Ｓ−１７）。操作者は、個別情報データの受信、検索の続行、クリア、のいずれかを選択する（Ｓ−１８）、（Ｓ−１９）。
【００５１】
個別情報データを受信するには、受信タブをクリックする。ディスプレイ７には、種目別アイコンが再度表示される。種目別アイコンの中からゴルフとサッカーとをクリックすると、それらの個別情報データの送信指示が端末装置６から第２サーバ装置５に送られ、さらに、インターネット１０を介して第２サーバ装置５から第１サーバ装置１に送信される（Ｓ−２０）。第１サーバ装置１は、送信指示によってゴルフとサッカーとに関する全ての個別情報データ（指定種類別商品群毎の個別情報データ）を抽出する（第１データ抽出手段）（Ｓ−２１）。
【００５２】
第１サーバ装置１では、第１データ抽出手段によって抽出したゴルフとサッカーとに関する個別情報データを共用アプリケーションソフトウェアが電子的に処理可能な中間データに変換する（Ｓ−２２）。第１サーバ装置１では、中間データをインターネット１０を介して第２サーバ装置５に送信する（Ｓ−２３）。
【００５３】
第２サーバ装置５では、受信した中間データをメモリに記憶し、端末装置６に中間データを配信する（Ｓ−２４）。端末装置６では、共用アプリケーションソフトウェアを利用して中間データに変換されたゴルフとサッカーとの個別情報データを読み込むとともに、それらをメモリに記憶する（Ｓ−２５）。
【００５４】
端末装置６では、ゴルフとサッカーとの個別情報データの中からゴルフを指定するとともに、ゴルフの中からさらにゴルフボールを指定し、ゴルフボールに関する個別情報データを得ることができる。ディスプレイ７には、指定したゴルフボールの商品名、販売価格、メーカー名、販売店名、キャッチフレーズ、性能、形態が印刷イメージに置き換えられて表示される（Ｓ−２６）。ディスプレイ７に表示されたそれら個別情報データは、プリンタ９を介して印刷用紙に印字される（Ｓ−２７）。
【００５５】
検索を続行するには、受信タブをクリックすることなく、種目別アイコンをクリックまたは入力エリアに種目を入力する。ここで、テニスのアイコンをクリックすると、第１サーバ装置１は、各種目に類別された個別情報データをさらにウェアー、ガット、シューズ等の各テニス用具（種類別商品群）に類別する（第１補正手段）（Ｓ−２８）。ディスプレイ７には、ウェアー、ガット、シューズ、ボール、ラケット、ラケットカバー、ラケットバッグ等のテニス用具別アイコンが表示されるとともに、テニス用具の入力エリアが表示される。さらに、ディスプレイ７には、用具の個別情報データの受信タブと検索クリアタブとが表示される（Ｓ−２９）。操作者は、個別情報データの受信、クリア、のいずれかを選択する（Ｓ−３０）。
【００５６】
受信タブをクリックすると、ディスプレイ７には、用具別アイコンが再度表示される。用具別アイコンの中からテニスラケットのアイコンをクリックすると、クリックしたテニスラケットに関する個別情報データの送信指示が端末装置６から第２サーバ装置５に送られ、さらに、インターネット１０を介して第２サーバ装置５から第１サーバ装置１に送信される（Ｓ−３１）。第１サーバ装置１は、送信指示によってテニスラケットに関する個別情報データ（指定種類別商品群毎の個別情報データ）を抽出する（第１データ抽出手段）（Ｓ−３２）。
【００５７】
端末装置６は、テニスラケットの個別情報データの中から必要なデータを指定し、そのデータの送信を第１サーバ装置１に指示することができる。必要なデータの指定とは、たとえば、商品名、販売価格、メーカー名、販売店名、キャッチフレーズ、性能、形態の各データの中から商品名、販売価格、キャッチフレーズを指定することである。第１サーバ装置１は、個別情報データの中から商品名と販売価格とキャッチフレーズとを抽出する。
【００５８】
端末装置６は、テニスラケットの個別情報データの並べ替えを第１サーバ装置１に指示することができる。データの並べ替えとは、たとえば、先頭にキャッチフレーズ、その後に商品名、さらにその後に販売価格を配置することである。第１サーバ装置１は、個別情報データをキャッチフレーズ、商品名、販売価格の順に並べ替える。
【００５９】
第１サーバ装置１では、第１データ抽出手段により抽出したテニスラケットに関する個別情報データを共用アプリケーションソフトウェアが電子的に処理可能な中間データに変換する（Ｓ−３３）。第１サーバ装置１では、中間データをインターネット１０を介して第２サーバ装置５に送信する（Ｓ−３４）。
【００６０】
第２サーバ装置５では、受信した中間データをメモリに記憶し、端末装置６に中間データを配信する（Ｓ−３５）。端末装置６では、共用アプリケーションソフトウェアを利用して中間データに変換されたテニスラケットの個別情報データを読み込むとともに、それらをメモリに記憶する（Ｓ−３６）。
【００６１】
端末装置６では、多数のテニスラケットの個別情報データの中から１または２以上のテニスラケットを指定し、指定したテニスラケットに関する個別情報データを得ることができる。ディスプレイ７には、指定した１または２以上のテニスラケットの商品名、販売価格、メーカー名、販売店名、キャッチフレーズ、性能、形態が印刷イメージに置き換えられて表示される（Ｓ−３７）。ディスプレイ７に表示されたそれら個別情報データは、プリンタ９を介して印刷用紙に印字される（Ｓ−３８）。
【００６２】
前記（２）の検索情報アイコンをクリックすると、製造者別商品群に基づく個別情報データの検索が可能となる（Ｓ−３９）。第１サーバ装置１は、個別情報データを各メーカー（製造者別商品群）に類別する（第２補正手段）（Ｓ−４０）。ディスプレイ７には、メーカー別アイコンが表示されるとともに、メーカー名の入力エリアが表示される。さらに、ディスプレイ７には、メーカーの個別情報データの受信タブと検索クリアタブとが表示される（Ｓ−４１）。操作者は、個別情報データの受信、検索の続行、クリア、のいずれかを選択する（Ｓ−４２）、（Ｓ−４３）。
【００６３】
受信タブをクリックすると、ディスプレイ７には、メーカー別アイコンが再度表示される。１または２以上のメーカーをクリックすると、クリックしたメーカーの個別情報データの送信指示が端末装置６から第２サーバ装置５に送られ、さらに、インターネット１０を介して第２サーバ装置５から第１サーバ装置１に送信される（Ｓ−４４）。第１サーバ装置１は、送信指示によってメーカーに関する全ての個別情報データ（指定製造者別商品群毎の個別情報データ）を抽出する（第２データ抽出手段）（Ｓ−４５）。
【００６４】
第１サーバ装置１では、第２データ抽出手段によって抽出したメーカーに関する個別情報データを共用アプリケーションソフトウェアが電子的に処理可能な中間データに変換する（Ｓ−４６）。第１サーバ装置１では、中間データをインターネット１０を介して第２サーバ装置５に送信する（Ｓ−４７）。
【００６５】
第２サーバ装置５では、受信した中間データをメモリに記憶し、端末装置６に中間データを配信する（Ｓ−４８）。端末装置６では、共用アプリケーションソフトウェアを利用して中間データに変換されたメーカーの個別情報データを読み込むとともに、それらをメモリに記憶する（Ｓ−４９）。
【００６６】
端末装置６では、メーカーの個別情報データの中から、特定のメーカーが製造するスポーツ用品を指定し、指定したスポーツ用品に関する個別情報データを得ることができる。ディスプレイ７には、指定したスポーツ用品の商品名、販売価格、メーカー名、販売店名、キャッチフレーズ、性能、形態が印刷イメージに置き換えられて表示される（Ｓ−５０）。ディスプレイ７に表示されたそれら個別情報データは、プリンタ９を介して印刷用紙に印字される（Ｓ−５１）。
【００６７】
受信タブをクリックすることなく、特定のメーカーをクリックまたは入力エリアにメーカー名を入力すると、第１サーバ装置１は、個別情報データの中からそのメーカーに関する個別情報データを選別するとともに、個別情報データをそのメーカーが扱うスポーツ用品に対応する各種目（種類別商品群）に類別する（第１補正手段）。
【００６８】
ディスプレイ７には、テニス、バスケットボール、バドミントンの種目別アイコンが表示されるとともに、種目の入力エリアが表示される。さらに、ディスプレイ７には、種目の個別情報データの受信タブと検索クリアタブとが表示される（Ｓ−１７）。その後は、Ｓ−１８、Ｓ−１９に戻って前記（１）の操作を繰り返すので、その説明は省略する。
【００６９】
前記（３）の検索情報アイコンをクリックすると、販売者別商品群に基づく個別情報データの検索が可能となる（Ｓ−３９）。第１サーバ装置１は、個別情報データを各販売店（販売者別商品群）に類別する（第３補正手段）（Ｓ−４０）。ディスプレイ７には、販売店別アイコンが表示されるとともに、販売店名の入力エリアが表示される。さらに、ディスプレイ７には、販売店の個別情報データの受信タブと検索クリアタブとが表示される（Ｓ−４１）。操作者は、個別情報データの受信、検索の続行、クリア、のいずれかを選択する（Ｓ−４２）、（Ｓ−４３）。
【００７０】
受信タブをクリックすると、ディスプレイ７には、販売店別アイコンが再度表示される。１または２以上の販売店をクリックすると、クリックした販売店の個別情報データの送信指示が端末装置６から第２サーバ装置５に送られ、さらに、インターネット１０を介して第２サーバ装置５から第１サーバ装置１に送信される（Ｓ−４４）。第１サーバ装置１は、送信指示によって販売店に関する全ての個別情報データ（指定販売者別商品群毎の個別情報データ）を抽出する（第２データ抽出手段）（Ｓ−４５）。
【００７１】
第１サーバ装置１では、第２データ抽出手段によって抽出した販売店に関する個別情報データを共用アプリケーションソフトウェアが電子的に処理可能な中間データに変換する（Ｓ−４６）。第１サーバ装置１では、中間データをインターネット１０を介して第２サーバ装置５に送信する（Ｓ−４７）。
【００７２】
第２サーバ装置５では、受信した中間データをメモリに記憶し、端末装置６に中間データを配信する（Ｓ−４８）。端末装置６では、共用アプリケーションソフトウェアを利用して中間データに変換された販売店の個別情報データを読み込むとともに、それらをメモリに記憶する（Ｓ−４９）。
【００７３】
端末装置６では、販売店の個別情報データの中から、特定の販売店が販売するスポーツ用品を指定し、指定したスポーツ用品に関する個別情報データを得ることができる。ディスプレイ７には、指定したスポーツ用品の商品名、販売価格、メーカー名、販売店名、キャッチフレーズ、性能、形態が印刷イメージに置き換えられて表示される（Ｓ−５０）。ディスプレイ７に表示されたそれら個別情報データは、プリンタ９を介して印刷用紙に印字される（Ｓ−５１）。
【００７４】
受信タブをクリックすることなく、特定の販売店をクリックまたは入力エリアに販売店名を入力すると、第１サーバ装置１は、個別情報データの中からその販売店に関する個別情報データを選別するとともに、個別情報データをその販売店が扱うスポーツ用品に対応する各種目（種類別商品群）に類別する（第１補正手段）。
【００７５】
ディスプレイ７には、テニス、バスケットボール、バドミントンの種目別アイコンが表示されるとともに、種目の入力エリアが表示される。さらに、ディスプレイ７には、種目の個別情報データの受信タブと検索内容のクリアタブとが表示される（Ｓ−１７）。その後は、Ｓ−１８、Ｓ−１９に戻って前記（１）の操作を繰り返すので、その説明は省略する。
【００７６】
検索中に操作者が個別情報データのクリアをクリックした場合は、Ｓ−１５、Ｓ−２８、Ｓ−３９に戻って手続きを繰り返す。第１サーバ装置１は、端末装置６との接続が切断された後のオフラインにおいて抽出した中間データを第２サーバ装置５に送信することもできる。
【００７７】
端末装置６では、個別情報データを受信した後に、キーボード８を使用して個別情報データの並べ替えや不必要な個別情報データの削除等のデータ処理を行うことができる。
【００７８】
図５，６は、ディスプレイ７に表示されたテニスラケットに関する個別情報データの一例を示す図と、プリンタ９から出力されたテニスラケットに関する紙票の一例を示す図とである。個別情報データは、前記（１）の種類別商品群に基づくデータ検索を行ったものである。
【００７９】
ディスプレイ７には、テニスラケットのメーカー名、商品名、キャッチフレーズ、性能、販売価格、販売店名、形態が表示されている。Ｂ５縦の紙票には、テニスラケットのメーカー名、商品名、キャッチフレーズ、性能、販売価格、販売店名が所定の文字数以内、所定の行数以内、所定の列数以内に印字され、さらに、テニスラケットの形態（全体図）が所定の範囲に印字されている。
【００８０】
販売店では、紙票をテニスラケットやショウケースに貼付することのみならず、それを広告として使用することもできる。また、紹介状や案内状とともに紙票を顧客に郵送することもできる。
【００８１】
次に、宿泊施設の提供の取次ぎに供する紙票の出力を行う場合を図３，４に基づいて説明する。宿泊施設に関する個別情報データには、施設の種類、施設名、提供価格、施設の宿泊を企画した企画会社名（企画者名）、施設の取次ぎをする旅行代理店名（提供者名）、施設のキャッチフレーズ、施設の内容がある。
【００８２】
施設の種類には、民間ホテル、日本旅館、民宿、厚生年金施設等の建造物の類の他に、伊香保、草津、万座、水上等の施設の場所の類が含まれる。施設の場所には、国内のみならず、海外も含まれる。内容は、旅行日程や施設までの交通手段、施設までの所要時間、施設周辺での観光案内等を文字や図面、写真、イラスト等で表したものである。
【００８３】
施設に関する個別情報データは、企画会社がキーボード４を使用して端末装置２に入力する。入力された個別情報データは、端末装置２から第１サーバ装置１へ送られ、第１サーバ装置１の内部アドレスファイルに記憶される。
【００８４】
第１サーバ装置１は、前記種類に基づいて、施設の個別情報データを種類別役務群に類別することができる（第４データ補正手段）。第１サーバ装置１は、端末装置６からの要求に基づいて、第４データ補正手段により類別された種類別役務群の中から、端末装置６が指定する指定種類別役務群毎の個別情報データを抽出することができる（第４データ抽出手段）。
【００８５】
第１サーバ装置１は、企画会社名（企画者名）に基づいて、施設の個別情報データを企画者別役務群に類別することができる（第５データ補正手段）。第１サーバ装置１は、端末装置６からの要求に基づいて、第５データ補正手段により類別された企画者別役務群の中から、端末装置６が指定する指定企画者別役務群毎の個別情報データを抽出することができる（第５データ抽出手段）。
【００８６】
第１サーバ装置１は、代理店名（提供者名）に基づいて、施設の個別情報データを提供者別役務群に類別することができる（第６データ補正手段）。第１サーバ装置１は、端末装置６からの要求に基づいて、第６データ補正手段により類別された提供者別役務群の中から、端末装置６が指定する指定提供者別役務群毎の個別情報データを抽出することができる（第６データ抽出手段）。
【００８７】
第１サーバ装置１は、端末装置６からの要求に基づいて、個別情報データの中から、端末装置６が指定する個別情報データを抽出することができる。また、第１サーバ装置１は、個別情報データを端末装置６が指定する順序に並べ替えることができる。
【００８８】
旅行代理店の操作者は、インターネット１０におけるＷＷＷブラウザから第１サーバ装置１のアドレスにアクセスする（Ｓ−１１）。端末装置６では、共用アプリケーションソフトウェアがそれにインストールされているか否かを判断する（Ｓ−１２）。共用アプリケーションソフトウェアがインストールされていない場合、操作者は、端末装置６の指示にしたがって共用アプリケーションソフトウェアのインストールを行う（Ｓ−１３）。ディスプレイ７には、施設の個別情報データに対する検索画面が表示される（Ｓ−１４）。
【００８９】
代理店の操作者は、（４）種類別役務群に基づく個別情報データの検索、（５）企画者別役務群に基づく個別情報データの検索、（６）提供者別役務群に基づく個別情報データの検索、のいずれかを行うことができる。操作者が行う検索操作の手順を以下に説明する。
【００９０】
前記（４）の検索情報アイコンをクリックすると、種類別役務群に基づく個別情報データの検索が可能となる（Ｓ−１５）。第１サーバ装置１は、個別情報データを民間ホテル、日本旅館、民宿、厚生年金施設等の各建造物（種類別役務群）に類別する（第４データ補正手段）（Ｓ−１６）。ディスプレイ７には、民間ホテル、日本旅館、民宿、厚生年金施設等の建造物別アイコンが表示されるとともに、建造物の入力エリアが表示される。さらに、ディスプレイ７には、建造物の個別情報データの受信タブと検索クリアタブとが表示される（Ｓ−１７）。操作者は、個別情報データの受信、検索の続行、内容のクリア、のいずれかを選択する（Ｓ−１８）、（Ｓ−１９）。
【００９１】
受信タブをクリックすると、ディスプレイ７には、建造物別アイコンが再度表示される。建造物別アイコンの中から日本旅館をクリックすると、日本旅館の個別情報データの送信指示が端末装置６から第２サーバ装置５に送られ、さらに、インターネット１０を介して第２サーバ装置５から第１サーバ装置１に送信される（Ｓ−２０）。第１サーバ装置１は、送信指示によって日本旅館に関する全ての個別情報データ（指定種類別役務群毎の個別情報データ）を抽出する（第４データ抽出手段）（Ｓ−２１）。
【００９２】
第１サーバ装置１では、第４データ抽出手段によって抽出した日本旅館に関する個別情報データを共用アプリケーションソフトウェアが電子的に処理可能な中間データに変換する（データ変換手段）（Ｓ−２２）。第１サーバ装置１では、中間データをインターネット１０を介して第２サーバ装置５に送信する（データ送信手段）（Ｓ−２３）。
【００９３】
第２サーバ装置５では、受信した中間データをメモリに記憶し、端末装置６に中間データを配信する（Ｓ−２４）。端末装置６では、共用アプリケーションソフトウェアを利用して中間データに変換された群馬の個別情報データを読み込むとともに、それらをメモリに記憶する（Ｓ−２５）。
【００９４】
端末装置６では、日本旅館の個別情報データの中から草津を指定し、草津における特定の施設の個別情報データを得ることができる。ディスプレイ７には、施設名、提供価格、企画会社名、代理店名、キャッチフレーズ、施設の内容が印刷イメージに置き換えられて表示される（Ｓ−２６）。ディスプレイ７に表示されたそれら個別情報データは、プリンタ９を介して印刷用紙に印字される（Ｓ−２７）。
【００９５】
検索を続行するには、受信タブをクリックすることなく、建造物別アイコンをクリックまたは入力エリアに建造物を入力する。ここで日本旅館のアイコンをクリックすると、第１サーバ装置１は、日本旅館に類別された個別情報データをさらに伊香保、草津、万座、水上等の場所（種類別役務群）に類別する（第４補正手段）（Ｓ−２８）。ディスプレイ７には、伊香保、草津、万座、水上等の場所別アイコンが表示されるとともに、場所の入力エリアが表示される。さらに、ディスプレイ７には、場所の個別情報データの受信タブと検索内容のクリアタブとが表示される（Ｓ−２９）。操作者は、個別情報データの受信、内容のクリア、のいずれかを選択する（Ｓ−３０）。
【００９６】
受信タブをクリックすると、ディスプレイ７には、場所別アイコンが再度表示される。場所別アイコンの中から草津のアイコンをクリックすると、草津における施設の個別情報データの送信指示が端末装置６から第２サーバ装置５に送られ、さらに、インターネット１０を介して第２サーバ装置５から第１サーバ装置１に送信される（Ｓ−３１）。第１サーバ装置１は、送信指示によって草津に関する個別情報データ（指定種類別役務群毎の個別情報データ）を抽出する（第４データ抽出手段）（Ｓ−３２）。
【００９７】
端末装置６は、草津における施設の個別情報データの中から必要なデータを指定し、そのデータの送信を第１サーバ装置１に指示することができる。必要なデータの指定とは、たとえば、施設名、提供価格、企画会社名、施設代理店名、キャッチフレーズ、内容の各データの中から施設名、提供価格、キャッチフレーズを指定することである。第１サーバ装置１は、個別情報データの中から施設名と提供価格とキャッチフレーズとを抽出する。
【００９８】
端末装置６は、草津の個別情報データの並べ替えを第１サーバ装置１に指示することができる。データの並べ替えとは、たとえば、先頭にキャッチフレーズ、その後に施設名、さらにその後に提供価格を配置することである。第１サーバ装置１は、個別情報データをキャッチフレーズ、施設名、提供価格の順に並べ替える。
【００９９】
第１サーバ装置１では、第４データ抽出手段により抽出した草津における施設の個別情報データを共用アプリケーションソフトウェアが電子的に処理可能な中間データに変換する（Ｓ−３３）。第１サーバ装置１では、中間データをインターネット１０を介して第２サーバ装置５に送信する（Ｓ−３４）。
【０１００】
第２サーバ装置５では、受信した中間データをメモリに記憶し、端末装置６に中間データを配信する（Ｓ−３５）。端末装置６では、共用アプリケーションソフトウェアを利用して中間データに変換された施設の個別情報データを読み込むとともに、それらをメモリに記憶する（Ｓ−３６）。
【０１０１】
端末装置６では、草津における施設の個別情報データの中から１または２以上の施設を指定し、指定した施設に関する個別情報データを得ることができる。ディスプレイ７には、指定した１または２以上の施設の施設名、提供価格、企画会社名、代理店名、キャッチフレーズ、内容が印刷イメージに置き換えられて表示される（Ｓ−３７）。ディスプレイ７に表示されたそれら個別情報データは、プリンタ９を介して印刷用紙に印字される（Ｓ−３８）。
【０１０２】
前記（５）の検索情報アイコンをクリックすると、企画者別役務群に基づく個別情報データの検索が可能となる（Ｓ−３９）。第１サーバ装置１は、個別情報データを各企画会社（企画者別役務群）に類別する（第５補正手段）（Ｓ−４０）。ディスプレイ７には、企画会社別アイコンが表示されるとともに、企画会社名の入力エリアが表示される。さらに、ディスプレイ７には、企画会社の個別情報データの受信タブと検索内容のクリアタブとが表示される（Ｓ−４１）。操作者は、個別情報データの受信、検索の続行、内容のクリア、のいずれかを選択する（Ｓ−４２）、（Ｓ−４３）。
【０１０３】
受信タブをクリックすると、ディスプレイ７には、企画会社別アイコンが再度表示される。１または２以上の企画会社をクリックすると、クリックした企画会社の個別情報データの送信指示が端末装置６から第２サーバ装置５に送られ、さらに、インターネット１０を介して第２サーバ装置５から第１サーバ装置１に送信される（Ｓ−４４）。第１サーバ装置１は、送信指示によって企画会社に関する全ての個別情報データ（指定企画者別役務群毎の個別情報データ）を抽出する（第５データ抽出手段）（Ｓ−４５）。
【０１０４】
第１サーバ装置１では、第５データ抽出手段によって抽出した企画会社に関する個別情報データを共用アプリケーションソフトウェアが電子的に処理可能な中間データに変換する（Ｓ−４６）。第１サーバ装置１では、中間データをインターネット１０を介して第２サーバ装置５に送信する（Ｓ−４７）。
【０１０５】
第２サーバ装置５では、受信した中間データをメモリに記憶し、端末装置６に中間データを配信する（Ｓ−４８）。端末装置６では、共用アプリケーションソフトウェアを利用して中間データに変換された企画会社の個別情報データを読み込むとともに、それらをメモリに記憶する（Ｓ−４９）。
【０１０６】
端末装置６では、企画会社の個別情報データの中から、特定の企画会社が企画した施設を指定し、指定した施設に関する個別情報データを得ることができる。ディスプレイ７には、指定した施設の施設名、提供価格、企画会社名、代理店名、キャッチフレーズ、内容が印刷イメージに置き換えられて表示される（Ｓ−５０）。ディスプレイ７に表示されたそれら個別情報データは、プリンタ９を介して印刷用紙に印字される（Ｓ−５１）。
【０１０７】
受信タブをクリックすることなく、特定の企画会社をクリックすると、第１サーバ装置１は、個別情報データの中からその企画会社に関する個別情報データを選別するとともに、個別情報データを各建造物（種類別役務群）に類別する（第１補正手段）。ディスプレイ７には、民間ホテル、日本旅館、民宿、厚生年金施設等の建造物別アイコンが表示されるとともに、建造物の入力エリアが表示される。さらに、ディスプレイ７には、建造物の個別情報データの受信タブと検索内容のクリアタブとが表示される（Ｓ−１７）。その後は、Ｓ−１８、Ｓ−１９に戻って前記（４）の操作を繰り返すので、その説明は省略する。
【０１０８】
前記（６）の検索情報アイコンをクリックすると、提供者別役務群に基づく個別情報データの検索が可能となる（Ｓ−３９）。第１サーバ装置１は、個別情報データを各代理店（提供者別役務群）に類別する（第６補正手段）（Ｓ−４０）。ディスプレイ７には、代理店別アイコンが表示されるとともに、代理店名の入力エリアが表示される。さらに、ディスプレイ７には、代理店の個別情報データの受信タブと検索内容のクリアタブとが表示される（Ｓ−４１）。操作者は、個別情報データの受信、検索の続行、内容のクリア、のいずれかを選択する（Ｓ−４２）、（Ｓ−４３）。
【０１０９】
受信タブをクリックすると、ディスプレイ７には、代理店別アイコンが再度表示される。１または２以上の代理店をクリックすると、クリックした代理店の個別情報データの送信指示が端末装置６から第２サーバ装置５に送られ、インターネット１０を介して第２サーバ装置５から第１サーバ装置１に送信される（Ｓ−４４）。第１サーバ装置１は、送信指示によって代理店に関する全ての個別情報データ（指定提供者別役務群毎の個別情報データ）を抽出する（第６データ抽出手段）（Ｓ−４５）。
【０１１０】
第１サーバ装置１では、第６データ抽出手段によって抽出した代理店に関する個別情報データを共用アプリケーションソフトウェアが電子的に処理可能な中間データに変換する（Ｓ−４６）。第１サーバ装置１では、中間データをインターネット１０を介して第２サーバ装置５に送信する（Ｓ−４７）。
【０１１１】
第２サーバ装置５では、受信した中間データをメモリに記憶し、端末装置６に中間データを配信する（Ｓ−４８）。端末装置６では、共用アプリケーションソフトウェアを利用して中間データに変換された代理店の個別情報データを読み込むとともに、それらをメモリに記憶する（Ｓ−４９）。
【０１１２】
端末装置６では、代理店の個別情報データの中から、特定の代理店が提供する施設を指定し、指定した施設に関する個別情報データを得ることができる。ディスプレイ７には、指定した施設の施設名、提供価格、企画会社名、代理店名、キャッチフレーズ、内容が印刷イメージに置き換えられて表示される（Ｓ−５０）。ディスプレイ７に表示されたそれら個別情報データは、プリンタ９を介して印刷用紙に印字される（Ｓ−５１）。
【０１１３】
受信タブをクリックすることなく、特定の代理店をクリックすると、第１サーバ装置１は、個別情報データの中からその代理店に関する個別情報データを選別するとともに、個別情報データを各建造物（種類別役務群）に類別する（第１補正手段）。ディスプレイ７には、民間ホテル、日本旅館、民宿、厚生年金施設等の建造物別アイコンが表示されるとともに、建造物の入力エリアが表示される。さらに、ディスプレイ７には、建造物の個別情報データの受信タブと検索内容のクリアタブとが表示される（Ｓ−１７）。その後は、Ｓ−１８、Ｓ−１９に戻って前記（４）の操作を繰り返すので、その説明は省略する。
【０１１４】
検索中に操作者が個別情報データのクリアをクリックした場合は、Ｓ−１５、Ｓ−２７、Ｓ−３８に戻って手続きを繰り返す。端末装置６では、個別情報データを受信した後に、キーボード８を使用して個別情報データの並べ替えや不必要な個別情報データの削除等のデータ処理を行うことができる。
【０１１５】
図７，８は、ディスプレイ７に表示された施設に関する個別情報データの一例を示す図と、プリンタ９から出力された施設に関する紙票の一例を示す図である。個別情報データは、前記（４）の種類別役務群に基づくデータ検索を行ったものである。
【０１１６】
ディスプレイ７には、施設名、キャッチフレーズ、提供価格、内容、旅行代理店名が表示されている。Ｂ５縦の紙票には、施設名、キャッチフレーズ、提供価格、内容、企画会社名、旅行代理店名が所定の文字数以内、所定の行数以内、所定の列数以内に印字されている。
【０１１７】
このシステムでは、ＨＴＴＰの記述言語と個別情報データを受信した端末装置６との間に互換性の相違があったとしても、個別情報データが不規則にばらけてしまうことはなく、それを規則正しく表示かつ印字させることができる。
【０１１８】
個別情報データには、スポーツ用品または宿泊施設のみならず、取引の対象となるあらゆる商品または役務に関する個別情報データが含まれる。
【０１１９】
【発明の効果】
本発明にかかる情報データ出力システムによれば、ＨＴＴＰの記述言語に対する端末装置の互換性の相違にかかわらず、端末装置が統一した所定の形式で商品と役務とに関する個別情報データを表示手段および印字手段を介して出力することができるので、端末装置において情報データに対するデータ処理を行う必要や情報データを郵送等で取り寄せる必要はなく、手間と時間とを省くことができる。
【０１２０】
端末装置では、それに共用アプリケーションソフトウェアがインストールされていない場合でも、第１サーバ装置からネットワーク上に送信された共用アプリケーションソフトウェアをダウンロードし、セットアッププログラムを使用してインストールすることができる。
【０１２１】
個別情報データが商品に関するデータを対象とする場合は、以下の効果を有する。
【０１２２】
第１サーバ装置では、商品の種類に基づいて、商品の個別情報データを所定の種類別商品群に類別することができるので、端末装置が商品の個別情報データを種類別商品群毎に受信することができ、商品の個別情報データを種類別商品群毎に出力することができる。
【０１２３】
第１サーバ装置では、商品の製造者名に基づいて、商品の個別情報データを製造者別商品群に類別することができるので、端末装置が商品の個別情報データを製造者別商品群毎に受信することができ、商品の個別情報データを製造者別商品群毎に出力することができる。
【０１２４】
第１サーバ装置では、商品の販売者名に基づいて、商品の個別情報データを販売者別商品群に類別することができるので、端末装置が商品の個別情報データを販売者別商品群毎に受信することができ、商品の個別情報データを販売者別商品群毎に出力することができる。
【０１２５】
個別情報データが役務に関するデータを対象とする場合は、以下の効果を有する。
【０１２６】
第１サーバ装置では、役務の種類に基づいて、役務の個別情報データを所定の種類別役務群に類別することができるので、端末装置が役務の個別情報データを種類別役務群毎に受信することができ、役務の個別情報データを種類別役務群毎に出力することができる。
【０１２７】
第１サーバ装置では、役務の製造者名に基づいて、役務の個別情報データを製造者別役務群に類別することができるので、端末装置が役務の個別情報データを製造者別役務群毎に受信することができ、役務の個別情報データを製造者別役務群毎に出力することができる。
【０１２８】
第１サーバ装置では、役務の販売者名に基づいて、役務の個別情報データを販売者別役務群に類別することができるので、端末装置が役務の個別情報データを販売者別役務群毎に受信することができ、役務の個別情報データを販売者別役務群毎に出力することができる。
【００２９】
【図面の簡単な説明】
【図１】  一例として示す情報データ出力システムの構成図。
【図２】  システムが実行する各手段の一例を示すブロック図。
【図３】  図２のブロック図の詳細を示すフローチャート図。
【図４】  ディスプレイに表示された個別情報データの一例を示す図。
【図５】  図２のブロック図の詳細を示すフローチャート図。
【図６】  プリンタから出力された紙票の一例を示す図。
【図７】  ディスプレイに表示された個別情報データの一例を示す図。
【図８】  プリンタから出力された紙票の一例を示す図。
【符号の説明】
１  第１サーバ装置（サーバ装置）
６  端末装置
９  プリンタ（印字手段）
１０  インターネット
１１  紙票
１２  紙票
【図１】
0004606626.tif 000002
【図２】
0004606626.tif 000003
【図３】
0004606626.tif 000004
【図４】
0004606626.tif 000005
【図５】
0004606626.tif 000006
【図６】
0004606626.tif 000007
【図７】
0004606626.tif 000008
【図８】
0004606626.tif 000009